(57)【要約】【課題】木造建築物の改築において、構造物を不安定な状態におくことなく安全にかつ確実に、また、低コストで柱の撤去をおこなって改築ができるようにする。【解決手段】柱を撤去した場合に必要な梁断面を計算し、中央部の区間Ａには補助梁２１を既存梁２にボルト３で固定し一体化する。端部の区間Ｂ、Ｃには、補助梁２１より梁成の小さな第２補助梁２２を既存梁２にボルト３で固定する。補助梁２１と第２補助梁２２を両側面に設置した連結具４で一体化し、連続した補助梁とする。撤去予定柱１０、１１を切断して撤去し、残置柱１２、１３の間の大きな開口部を得る。梁が、柱１０、１１の切断撤去前に完成しており、従来工法のように構造的に不安的な期間を経ることなく柱を切断することができるので、柱撤去を安全かつ迅速におこなって建築物の改築をすることができる。【選択図】図１
2005009109.tif 000002
【特許請求の範囲】
【請求項１】
既存梁の下側に柱間の長さの補助梁を固定し、隣接する柱間に設置した補助梁同士を連結具によって連結して既存梁と補助梁を一体化し、中間部の柱を切断撤去する木造建築物の改築方法。
【請求項２】
請求項１において、撤去する柱が複数であり、中央部の補助梁の梁成より端部の補助梁の梁成を小さくする木造建築物の改築方法。
【請求項３】
請求項１または２のいずれかにおいて、梁の側面に構造用板材を固定して既存梁と補助梁を一体化する木造建築物の改築方法。
【請求項４】
請求項１〜３のいずれかにおいて、柱と梁を連結金具で固定する木造建築物の改築方法。
【発明の詳細な説明】
【０００１】
【発明の属する技術分野】
本発明は、木造建築物の改築において、柱を安全に撤去する方法に関する。
【０００２】
【従来の技術】
木造建築物を改築するにあたり、間口を大きくするために柱を撤去するケースがあるが、構造材である柱を撤去することは力学的に均衡している構造物を不安定な状態におくことになるので安全策を講じて慎重におこなう必要がある。また、柱の撤去に伴って梁の補強が不可欠であり、既存の梁を撤去して梁成の高いものに交換したり、既存の梁はそのまま残し、補強梁を継ぎ足すなどしている。
【０００３】
【特許文献１】
特開２００１−１９３２８７
【０００４】
【発明が解決すべき課題】
建築物において、柱を撤去することは構造物を不安定な状態におくものであるので、控えを取るなどの安全策を講じたり、また、柱を撤去した後、短時間で梁の交換をして不安定な状態が長時間続かないようしているが、安全面での配慮が十分とはいえなかった。
更に、柱の撤去に伴って大きな開口が得られるが柱の間隔が拡がるので、梁成を大きくしなければならず、材料費がかかるという問題があった。
本発明は、柱の撤去に際し、構造物を不安定な状態におくことなく安全にかつ確実に、また、低コストで改築ができるようにするものである。
【０００５】
【課題を解決するための手段】
このため、既存の梁に補助梁を各柱の間に固定し、隣接する補助梁同士を連結具で連結して一体の補強梁としてから柱を撤去するようにし、安全に柱の撤去がなされるようにするものである。
また、梁の各部のせん断や曲げ応力の検討から、中央部の補強梁の梁成より側部の補強梁の梁成を小さくしても耐力が十分得られることが判明した。
【０００６】
【実施例】
図１に示す実施例は、２本の柱１０、１１を撤去する場合であり、撤去すべき柱は点線で示してある。
予め柱を撤去した場合に必要な梁断面を計算し、柱を撤去した場合に中央部となる区間Ａには、１０５×１８０（ｍｍ）の補助梁２１を既存の梁２（１０５×２４０）にボルト３で固定し一体化する。
また、ボルトを使用せずに構造用合板を、梁の両側面に釘または接着剤で貼着固定して一体化してもよい。
【０００７】
撤去予定柱１１と残置柱１３の間の区間Ｃと撤去予定柱１０と残置柱１２の間の区間Ｂは、柱１０、１１を撤去した後は残置柱１２、１３の支点部分に近く、曲げモーメントが小さく、剪断力に耐える断面があれば十分であるので、補助梁２１より梁成の小さな第２補助梁２２（１０５×１０５）を既存梁２にボルト３で固定する。
【０００８】
既存梁２と補助梁２１、２２は一体化されているが、補助梁同士は撤去予定柱１０、１１で分断されていて連続性がなく、柱を撤去した場合、梁の必要強度が得られないので、連結具４を梁の両側面に設置し、補助梁２１と第２補助梁２２を連結して一体化する。
【０００９】
本実施例における連結具４は、台形のプレートであり、補助梁２１と第２補助梁２２の両側面にビスで固定して補助梁同士を一体化する。連結具４は、補助梁同士が構造的に一体化されるものであればこの形状に限るものでなく、適宜の形状のものが適用可能である。
本実施例において、連結具４は、補助梁２１と第２補助梁２２のみに固定されているが、既存梁２にまで延びる連結具４とする場合もある。
残置柱１２と補助梁２２は図２に詳細を示すストレッチ梁受金物（商品名）等の連結金物４１を使用して両者を連結固定する。
【００１０】
既存梁２と補助梁２１、２２及び柱が連結一体化されたところで、撤去予定柱１０、１１を切断して撤去し、残置柱１２、１３の間の大きな開口部を得る。
柱撤去後の構造について必要な梁強度に見合う補強された既存梁２と補助梁２１、２２とからなる合成梁が、柱１０、１１の切断撤去前に完成しており、従来工法のように構造的に不安的な期間を経ることなく柱を切断することができるので、柱撤去を安全かつ迅速におこなって建築物の改築をすることができる。
また、新たな梁の両端部側は、梁成の小さな第２補助梁２２を追加するだけでよいので材料費を節約することができる。
補助梁２１、２２は、柱撤去後の大きなスパンに対応する長さのものを用意する必要がなく、既存柱の間隔の長さのものでよいので、重量も小さく、運搬や施工が容易である。
【００１１】
【実施例２】
図３に示す実施例２は、柱の撤去が完了した状態を示している。
基本的には、実施例１と同様であり、残置柱１２と補助梁２２の固定に、補助梁同士を連結しているものと同様の連結具４を使用したものである。
【００１２】
【実施例３】
図４の実施例は、梁２の中央部に梁２０が交差している場合において、柱を撤去するケースである。
補助梁２１は中央Ａと両側Ｂ、Ｃで同じ梁成のものを使用すると共に、中央部の既存梁２を補強するために、補助梁２１を既存梁にボルト３で固定して一体化すると共に、更に、合成した梁の両側面に厚さ２１ｍｍの構造用合板５を釘で固定して既存梁２と補助梁２１を一体化するものである。
【００１３】
また、撤去柱１０、１１の部分には、補強プレート４２を補助梁２１の下側に設置し、既存梁２と補助梁２１を連結するボルト３を利用して固定されており、梁の連結部を補強している。
補助梁２１を設置するにあたって、撤去柱１０の上端部に切断溝を形成し、補強プレートを切断溝に挿入して柱に荷重を受けさせ、柱の両側にボルト３を設置して既存梁２と、補助梁２１を一体的に連結する。
【００１４】
交差梁２０の両側にもボルト３を設けて既存梁２と補助梁２１を強固に一体化すると共に、交差梁から既存梁に伝達する荷重に対応させる。既存梁と交差梁の連結部に図２の連結金物４１を設置して梁の交差部を補強する場合もある。
【００１５】
【発明の効果】
本発明の改築方法は、補助梁を既存梁に固定し、梁の補強を完了してから柱の撤去をおこなうので、安全に柱の撤去ができる。
また、柱の撤去によって形成される長いスパンに対応する梁を使用せず、既存の柱間距離に対応する短い梁を連結具によってつなぎ合わせて長い補助梁を得るので、低コストで改築することができ、更には、部材が短く、重量が比較的小さいので現場搬入や、部材の取り扱いが容易である。
また、連結具を釘またはボルトを用いて固定するものであるので、施工が容易であり、高度な技術を必要とせずに、安全かつ簡単に短時間で工事することができる。
【図面の簡単な説明】
【図１】本発明の改築方法の基本説明図。
【図２】連結金物の斜視図及び使用状態の斜視図。
【図３】実施例２の正面図。
【図４】実施例３の正面図及び一部断面図。
【符号の説明】
１０    柱
２      既存梁
３      ボルト
２１    補助梁
４      連結具
４１    連結金物
５      構造用合板
【図１】
2005009109.tif 000003
【図２】
2005009109.tif 000004
【図３】
2005009109.tif 000005
【図４】
2005009109.tif 000006